(57)【要約】      （修正有）【課題】ブレードを容易に取り外しでき、かつ異なる型式のブレードを出力軸に取付けることの出来る往復動鋸のブレード留め具を提供する。【解決手段】駆動軸１１に、細帯鋸ブレード留め具５によりブレード３を連結する。カム本体１６は円筒形の孔２０を通る軸の回りで回動することができ、その結果、ブレード３に係合したり解放したりするために留め具本体１２の中空部１４の後面に接触したり離れたりするようにカム面１７が動く。ばね２１の可撓作用により、カム本体１６は駆動されて留め具本体１２に係合する。留め具本体１２から離れるようにカム面１７を回動するためには、ブレードの往復方向に突出部１８を押すことになり、その結果カム本体１６がばね２１の作用に抗して回動して留め具本体１２から離れる。【選択図】      図２ｃ
2005132113.tif 000002
【特許請求の範囲】
【請求項１】
往復動工具の作動部材を往復出力軸に取り外し自在に取り付ける留め具装置であって、
前記出力軸に取り付けられる本体部材と、
前記作動部材の往復方向において、第２係合部の前方で前記作動部材上に少なくとも部分的に設置された第１係合部を一つ以上有する一つ以上の係合部材であって、使用中、前記第１係合部が前記第２係合部に係合して前記出力軸の適切な位置に前記作動部材を保持する第１位置と、前記作動部材を前記出力軸から取り外すことができる第２位置との間で前記本体部材に対して回動できる前記係合部材と、
前記第１位置に向かって前記係合部材を押す第１片寄せ手段とを有し、
一つ以上の前記係合部材が前記第１位置にあるときに前記本体部材から前記係合部材を外そうとする力が前記作動部材に作用すると、対応する前記第１係合部により、一つ以上の前記第２係合部材の動きが防止されることを特徴とする、留め具装置。
【請求項２】
前記第１係合部を複数有し、一つ以上の前記第１係合部が、他の一つ以上の前記第１係合部に対して制限された回動を行うことができることを特徴とする、請求項１に記載の留め具装置。
【請求項３】
前記係合部材を複数有し、一つ以上の前記係合部材が、他の一つ以上の前記係合部材に対して共通軸の回りで制限された回動を行うことができることを特徴とする、請求項２に記載の留め具装置。
【請求項４】
突起を持つ第１の前記係合部材を一つ以上有し、一つ以上の前記突起を受け入れるための凹みを持つ対応する第２の前記係合部材を一つ以上有し、対応する前記第１係合部材が前記共通軸の回りで回動できるように、一つ以上の前記凹みがその中に存する対応する前記突起の制限された回動を可能としていることを特徴とする、請求項３に記載の留め具装置。
【請求項５】
使用者が前記係合手段を前記第２位置に向かって回動できるように適合された一つ以上の細長い突出部を、一つ以上の前記係合部材が更に有することを特徴とする、請求項１から請求項４のいずれか１項に記載の留め具装置。
【請求項６】
一つ以上の前記細長い突出部が、対応する前記第１係合部材の外面に形成されていることを特徴とする、請求項４又は請求項５に記載の留め具装置。
【請求項７】
前記第１片寄せ手段は、一つ以上の前記細長い突出部と前記本体部材とに係合する捩りばねを一つ以上有することを特徴とする、請求項５又は６に記載の留め具装置。
【請求項８】
一つ以上の前記第１係合部が、前記作動部材に係合するためのカム面を一つ以上有し、前記出力軸から前記作動部材を取り外すように前記作動部材に力を作用すると、一つ以上の前記カム面が前記作動部材に更に係合するようにされることを特徴とする、請求項１から請求項７のいずれか１項に記載の留め具装置。
【請求項９】
前記係合部材は、前記出力軸に向かう前記作動部材の動きにより前記第１位置から変位し、装置への前記作動部材の取り付けをかかる動きにより可能とすることを特徴とする、請求項１から請求項８のいずれか１項に記載の留め具装置。
【請求項１０】
往復出力軸に往復動工具の作動部材を取り外し自在に取り付けることを特徴とする、添付図面に関連して実質的に記載されている、留め具装置。
【請求項１１】
本体と、
回転軸を持つ電動機と、
前記回転軸の回転運動を出力軸の往復運動に変換する駆動手段と、
請求項１から請求項１０のいずれか１項記載の留め具装置とを持つことを特徴とする、往復動工具。
【請求項１２】
細帯鋸を有することを特徴とする、請求項１１に記載の往復動工具。
【請求項１３】
一つ以上の対応する前記第１係合部に係合するための一つ以上の前記第２係合部を持つ前記作動部材を一つ以上更に有することを特徴とする、請求項１１又は請求項１２に記載の往復動工具。
【請求項１４】
一つ以上の前記第１係合部が一つ以上の細長い小さな孔を有することを特徴とする、請求項１３に記載の往復動工具。
【請求項１５】
前記作動部材がブレードであり、一つ以上の前記第２係合部がブレードの縁部に設けられていることを特徴とする、請求項１３又は請求項１４に記載の往復動工具。
【請求項１６】
前記作動部材を前記出力軸との係合から離脱させる第２片寄せ手段を更に有することを特徴とする、請求項１１から請求項１５のいずれか１項に記載の往復動工具。
【発明の詳細な説明】
【技術分野】
【０００１】
本発明は、往復動工具の作動部材用の留め具装置に関し、特に、往復動を行う細帯鋸のブレード用の留め具装置に関する。
【背景技術】
【０００２】
細帯鋸は、木材その他の材料の加工対象物を切断するための往復動ブレードを持つ動力工具である。ほとんどの細帯鋸は電動機を内蔵するプラスチック製ハウジングを持っている。電動機の回転出力は駆動変換機構へ歯車を介して伝えられ、駆動変換機構は電動機出力の回転運動を出力軸の往復運動に変換してブレードの往復運動を起こさせる。
【０００３】
細帯鋸は通常、出力軸からブレードを取り外しできるように構成されている。これには二つの目的がある。第一に、使用中にたまたま生じる大きい摩擦力により細帯鋸ブレードは摩耗や破断をこうむることがあったり、寿命に限界があったりするため、ブレードを容易に取り外せるようにする必要がある。第二に、種々の異なる型式の加工対象物を切断したり、加工対象物を種々の方法で切断したりするために細帯鋸が使用できるように、幾つかの異なる型式のブレードを細帯鋸に取り付けることがあるためである。
【発明の開示】
【発明が解決しようとする課題】
【０００４】
欧州特許出願ＥＰ０７９２７１３には、細帯鋸ブレードを受け入れるように細帯鋸出力軸内に形成された溝と、ばねによりブレードに押し付けられ接触しているピンとを有し、ピンがブレードを溝に押し込んでブレードを適切な位置に保持する細帯鋸ブレード留め具装置が記載されている。この従来技術の留め具は十分な力をブレードに作用させていても、ブレードが滑り出て、細帯鋸から外れることさえもあるという欠点を持っている。
【０００５】
本発明は、従来技術の上述の欠点を克服することを目的としている。
【課題を解決するための手段】
【０００６】
本発明に係る一形態では、
前記出力軸に取り付けられる本体部材と、
作動部材の往復方向において、第２係合部の前方で前記作動部材上に少なくとも部分的に設置された第１係合部を一つ以上有する一つ以上の係合部材であって、使用中、前記第１係合部が前記第２係合部に係合して出力軸の適切な位置に作動部材を保持する第１位置と、作動部材を出力軸から取り外すことができる第２位置との間で前記本体部材に対して回動できる前記係合部材と、
前記第１位置に向かって前記係合部材を押す第１片寄せ手段とを有し、
一つ以上の前記係合部材が第１位置にあるときに本体部材から前記係合部材を外そうとする力が前記作動部材に作用すると、対応する前記第１係合部により、一つ以上の前記第２係合部材の動きが防止されることを特徴とする、往復動工具の作動部材を往復出力軸に取り外し自在に取り付けるための留め具装置が提供される。
【０００７】
係合部材の一つ以上の第１係合部が、（作動部材の往復方向において）第２係合部の前方で部分的に作動部材上に配置される留め具装置を提供することにより、摩擦のみを使用する留め具装置よりも効果的に作動部材を工具上の適切な位置に保持することができるという効果をもたらす。
【０００８】
その装置は前記第１係合部を複数持つことができ、前記第１係合部の一つ以上が、他の前記第１係合部の一つ以上に対して制限された回動運動を行うことができる。
【０００９】
このことは、例えば製造公差が原因で、係合部材の一方の側だけが作動部材を適切な位置に保持するというリスクを最小にする利点をもたらす。
【００１０】
好適な実施例において、装置は前記係合部材を複数持っており、一つ以上の前記係合部材が、他の一つ以上の前記係合部材に対して共通軸の回りに制限された回動運動を行うことができる。
【００１１】
装置は、突起を持つ第１の前記係合部材を一つ以上有し、かつ前記一つ以上の突起を受け入れるための空所を持つ、対応する第２の前記係合部材を一つ以上有することができ、一つ以上の前記空所は、対応する前記第１係合部材が前記共通軸の回りに回動できるように、対応する前記突起の制限された回動運動をその内部で可能としている。
【００１２】
このことは、複数の係合部材を共通軸の回りに互いに回動できるようにすることにより製造公差を吸収できるという利点をもたらし、一方、使用者による一つの係合部材の回動により一つ以上の係合部材の回動を生じさせることが可能となる。
【００１３】
好適な実施例において、一つ以上の前記係合部材が、使用者により前記係合手段を前記第２位置へ回動することができるように適合された一つ以上の細長い突出部を更に持っている。
【００１４】
このことは、使用者の係合部材への必要作用力を、細長い突出部により得られるてこ作用で最小化することにより、ブレードを留め具装置から容易に解放するという利点をもたらす。
【００１５】
一つ以上の前記細長い突出部は、対応する前記第１係合部材上に形成することもできる。
【００１６】
前記第１片寄せ手段は、一つ以上の前記細長い突出部と前記本体部材とに係合する捩りばねを一つ以上有することができる。
【００１７】
好適な実施例において、一つ以上の前記第１係合部は、作動部材に係合するために一つ以上のカム面を有し、出力軸から作動部材を外すように前記作動部材に力が作用すると、一つ以上の前記カム面を駆動して前記作動部材に更に係合する。
【００１８】
これにより、もし作動部材が工具から外側に引き出されようとすると、留め具による作動部材の把持が強化されるという利点が得られる。
【００１９】
前記係合部材はそれぞれ、出力軸へ向かって作動部材が動くことによりその第１位置から変位するようにでき、かかる動きにより装置へ作動部材を取り付けることを可能としている。
【００２０】
本発明に係る他の形態では、
本体と、
回転軸を持つ電動機と、
前記回転軸の回転運動を出力軸の往復運動に変換する駆動手段と、
今までの説明で定義された留め具装置とを有する往復動工具が提供される。
【００２１】
好適な実施例において、工具は細帯鋸を有する。
【００２２】
工具は更に、対応する一つ以上の前記第１係合部に係合する一つ以上の第２係合部を持つ作動部材を一つ以上有している。
【００２３】
前記一つ以上の第１係合部は、一つ以上の細長い小さな孔を有することができる。
【００２４】
好適な実施例において、前記作動部材はブレードであり、一つ以上の前記第２係合部はブレードの縁部に設けられている。
【００２５】
工具は更に、前記出力軸との係合から外れるように前記作動部材を押す第２の片寄せ手段を有する。
【００２６】
こうすることにより、工具からの作動部材の取り外しを容易にし、並びに作動部材が工具に正しく取り付けられているか否かを表示するという利点が得られる。
【発明を実施するための最良の形態】
【００２７】
図１に示すように、全体が符号１で示された細帯鋸は、耐久性のあるプラスチック材料からなり、電動機（図示しない）がその内部に設けられているハウジング２を有する。電動機は駆動装置に歯車連結された回転出力軸（図示しない）を有し、その駆動装置は電動機の回転出力を駆動軸（図示しない）の鉛直往復運動に変換する。ハウジング２は、加工対象物の上に載せられてブレード３の上向き運動時にブレード３のための反力を与えるシュー４に取り付けられている。ブレード３は、ブレード留め具５により駆動軸（図示しない）に取り付けられている。
【００２８】
図３に示すように、本発明に係るブレードを次に説明する。全体が符号３により示されたブレードは、符号６により定められる長さ及び符号Ｗにより定められる幅を持つ鋸歯部８を有する。当業者には良く理解されているが、ブレードの縁部の一つには、鋸歯（図示しない）が備えられている。鋸歯部８の上端部において、ブレードの幅は符号７により定められる部分で小さくなっていて、２個の窪み９を形成する。窪み９の上方に符号１０により示されるブレードの上部の一部があり、これはＷより小さい幅を有する。
【００２９】
次に図２ａから図２ｃに示すように、細帯鋸の駆動軸１１が、本発明が具現化されている細帯鋸ブレード留め具５によりブレード３に連結されている。更に図４ａから図４ｄに示すように、細帯鋸ブレード留め具５は、ブラケット１３により駆動軸１１に取り付け固定されたブレード留め具本体１２を持っている。ブレード留め具本体１２は、細帯鋸ブレード（図３）の上方部分７を完全に受け入れるように形成された中空部１４を持っている。これは図６において最も良く示されており、そこではブレード３の上方部分が中空部１４内に完全に受け入れられている。ブレード留め具本体１２は更に中空の管状突起部１５を有している。
【００３０】
図５に示すように、留め具本体１２と協働するためのカム本体１６が示されている。カム本体１６は２個のカム面１７と細長い突出部１８を持っている。窪み１９が突出部１８の表面に形成されているが、その目的は以下に詳しく説明される。カム本体１６は更に円筒形の孔２０を持っている。カム本体１６は、留め具本体１２の中空部１４の中に挿入することができるように形成されている。これは、図２ａ及び図２ｃに最も良く示されている。カム本体１６が留め具本体１２の中に完全に受け入れられると、カム本体１６の円筒形の孔２０が留め具本体１２の中空の管状突起部１５と同軸になるように設置される。カム本体１６を留め具本体１２に対して回動できるように、中空の管状突起部１５、及び円筒形の孔２０を貫通してピン（図示しない）が挿入される。捩りばね２１が管状突起部１５の外面に同軸に取り付けられている。捩りばね２１の第１端部２２は留め具本体１２内に形成された細長い小さな孔２３の中に受け入れられて固定される。ばね２１の第２端部２４は、カム本体１６の突出部１８内に形成された窪み１９の上に載っている。
【００３１】
細帯鋸ブレード留め具の作用を次に説明する。
【００３２】
図７に示すように、カム本体１６は円筒形の孔２０を通過する軸の回りで回動することができ、そのためカム面１７は留め具本体１２の中空部１４の後面に接触したり離れたりするように動く。ばね２１の可撓作用により、カム本体１６は留め具本体１２内に押し込まれる。留め具本体１２から離れるようにカム面１７を回動するには、ばね２１の作用に抗してカム本体１６が回動して留め具本体１２から出るように、使用者が突出部１８をブレードの方向に押さなければならない。
【００３３】
図６に示すように、ブレードが留め具本体１２の中空部内に取り付けられると、カム面１７はブレード３の窪み９に係合する。カム面１７が窪み９の中に受け入れられ、そのためブレード３の突起１０に当接しているので、ブレード３が留め具本体１２から滑り出ることが防止される。もしブレード３が下向き方向に引っ張られると、突起１０によりカム面１７に作用する力は、カム面１７を回動させて更にブレード３に係合するようにし、ブレード３に対するブレード留め具５の把持を強化する。
【００３４】
ブレード留め具５からブレード３を解放するために、突出部１８を押すことにより、カム本体１６が回動されて留め具本体１２から外れ、その結果カム面１７が動いてブレード３の窪み９との係合から外れる。留め具本体１２内で係合しているブレード３の頂部を示す図８を参照すると、板ばね２５はブレード３の上縁に接触し、その結果留め具５が開くと圧縮された板ばね２５が伸び、ブレード３を押して留め具本体１２との係合を解く。これにより、留め具５からのブレードの解放を容易にするだけではなく、ブレード３が留め具５に正しく係合して突出部１８が押されることを確実にする。
【００３５】
図９から図１４に示すように、本発明に係る第２実施例が示されているが、図１から８の実施例と共通の部分は１００だけ増やされた同様な符号により表示されている。
【００３６】
図９ａから図９ｄに示すように、この実施例のカム本体は、２個の分かれた部分から形成されている。カム本体第１部分１３０は、耐久性のあるプラスチック材料から形成されている。カム本体第１部分１３０は、カム面１７が図１から８の実施例のブレードに係合するのと同じような要領でブレード３のブレード窪み９に係合するための第１カム面１３４を持っている。細長い突出部１１８はカム本体第１部分１３０から延びており、使用者がカム本体第１部分１３０を容易に回動できるように設けられている。カム本体第１部分１３０はピン（図示しない）を受け入れるための第１の円筒孔１３８を有して、孔１３８を通過する軸の回りでカム本体第１部分１３０を回動できるようにしている。山１４２は円筒孔１３８の外周の回りに形成されており、その目的が以下に説明される。突起１４６が更にカム本体第１部分１３０と一体的に形成されており、その目的も更に以下に説明される。
【００３７】
図１０ａと図１０ｂに示すように、カム本体第２部分１３２は、ブレード３の窪み９に係合するための第２のカム面１３６を持っている。第２の円筒孔１４０は、カム本体第１部分１３０の山１４２を受け入れるようになっている円形凹み１４４を備えて形成されており、そのためカム本体第１、第２部分１３０、１３２が互いに重なり合うと、第１及び第２の円筒孔１３８、１４０は、共通の軸を持つ連続した単一の円筒孔を形成する。カム本体第２部分１３２は更に、カム本体第１、第２部分１３０、１３２が互いに組み合わされた時、突起１４６を受け入れる開口部１４８を備える。
【００３８】
カム本体第１、第２部分１３０、１３２は、ピン１５０が第１、第２の円筒孔１３８、１４０を貫通し、そしてカム本体第１、第２部分１３０、１３２がそれぞれピン１５０の回りに制限範囲で独立して回動可能となるように、ピン１５０（図１４）に取り付けられるようになっている。
【００３９】
図１１に示すように、カム本体第１、第２部分１３０、１３２はブレード留め具本体１１２に装着されて図示されている。ブレード留め具本体１１２は、本発明に係る第１実施例のブレード留め具本体１２と同一である。コイルばね１５２、１５４（図１２及び図１３）は、ばねのコイル部分１５６、１５８が装置の円筒孔と同軸になるようにカム本体第１、第２部分１３０、１３２の円筒孔部分１３８、１４０にそれぞれ取り付けられている。各コイルばねは、それぞれのカム本体第１、第２部分１３０、１３２に固定される第１端部１６０、１６２と、ブレード留め具本体１１２に固定される第２端部１６４、１６６とを持っている。
【００４０】
図９から図１４の細帯鋸ブレード留め具の作用を以下に説明する。
【００４１】
図１１に示すように、ブレード留め具からブレードを解放するために、使用者は細長い突出部１１８を押し下げてピン１５０の回りにカム本体第１部分１３０を回動する。こうすると、第１カム面１３４はブレード３の窪み９との係合から外れて動く。同時に、突起１４６がカム本体第２部分１３２の開口部１４８内で動いてカム本体第１部分１３０が軸の回りに十分動かされ、その結果突起１４６が開口部１４８の縁に当接する。細長い突出部１１８を更に押し下げると、カム本体第２部分１３２がピン１５０の回りに回動され、このようにして第２カム面１３６を動かしてブレード３の他の窪み９との係合から外す。細長い突出部１１８が完全に押し付けられると、ブレードが解放される。
【００４２】
突起１４６は開口部１４８内で移動距離が制限されているので、カム本体部分１３０、１３２はそれぞれ、ピン１５０の回りで制限範囲まで独立して回動できる。しかし、使用者はカム本体第２部分１３２の運動を結果的に生じさせるためには、カム本体第１部分１３０を動かすだけでよい。従って、カム本体第１、第２部分１３０、１３２の独立した動きは、カム面それ自体又はブレードの窪みにおける全ての製造公差を吸収する。
【００４３】
以上の実施例が単に例として、制限的な意図は何もなく説明されており、種々の置き換え及び変更が、請求項に記載されている本発明の範囲から離れることなく可能であることが当業者により理解されるであろう。
【図面の簡単な説明】
【００４４】
【図１】細帯鋸の外観図である。
【図２ａ】本発明に係る第１実施例の細帯鋸駆動軸及びブレード留め具の前方横からの外観図である。
【図２ｂ】図２ａの細帯鋸駆動軸及びブレード留め具の後方横からの外観図である。
【図２ｃ】図２ａの細帯鋸駆動軸及びブレード留め具の前部外観図である。
【図３】図２ａのブレード留め具と一緒に使用されるブレードの側面図である。
【図４ａ】図２のブレード留め具の本体の外観図である。
【図４ｂ】図４ａのブレード留め具本体の正面図である。
【図４ｃ】図４ａのブレード留め具本体の側面図である。
【図４ｄ】図４ａのブレード留め具本体の背面図である。
【図５】図２のブレード留め具のカム本体の外観図である。
【図６】図４のブレード留め具本体に取り付けられる図３のブレードの横断面図である。
【図７】図２ａのブレード及びブレード留め具の正面図である。
【図８】図２ａのブレード留め具内に受け入れられた図３のブレードの上方部分の断面図である。
【図９ａ】本発明に係る第２実施例のカム本体第１部分の外観図である。
【図９ｂ】図９ａのカム本体の側面図である。
【図９ｃ】図９ａのカム本体の下面図である。
【図９ｄ】図９ａのカム本体の正面図である。
【図１０ａ】図９ａの実施例のカム本体第２部分の外観図である。
【図１０ｂ】図１０ａのカム本体の側面図である。
【図１０ｃ】図１０ａのカム本体の下面図である。
【図１０ｄ】図１０ａのカム本体の正面図である。
【図１１】図９ａの第１カム部分及び図４ａの留め具本体内に取り付けられた図１０ａの第２カム部分の、一部が除去された外観図である。
【図１２ａ】図９から図１１の実施例に使用される第１ばねの側面図である。
【図１２ｂ】図１２ａのばねの正面図である。
【図１３ａ】図９から図１１の実施例に使用される第２ばねの側面図である。
【図１３ｂ】図１３ａのばねの正面図である。
【図１４】図９から図１１の実施例に使用されるカム本体ピンの側面図である。
【符号の説明】
【００４５】
１    細帯鋸
２    ハウジング
３    ブレード
５    ブレード留め具
９    窪み
１１    駆動軸
１２    ブレード留め具本体
１３    ブラケット
１４    中空部
１５    管状突起部
１６    カム本体
１７    カム面
１８    突出部
１９    窪み
２０    孔
２１    捩りばね
２３    細長い小さな孔
２５    板ばね
【図１】
2005132113.tif 000003
【図２ａ】
2005132113.tif 000004
【図２ｂ】
2005132113.tif 000005
【図２ｃ】
2005132113.tif 000006
【図３】
2005132113.tif 000007
【図４ａ】
2005132113.tif 000008
【図４ｂ】
2005132113.tif 000009
【図４ｃ】
2005132113.tif 000010
【図４ｄ】
2005132113.tif 000011
【図５】
2005132113.tif 000012
【図６】
2005132113.tif 000013
【図７】
2005132113.tif 000014
【図８】
2005132113.tif 000015
【図９ａ】
2005132113.tif 000016
【図９ｂ】
2005132113.tif 000017
【図９ｃ】
2005132113.tif 000018
【図９ｄ】
2005132113.tif 000019
【図１０ａ】
2005132113.tif 000020
【図１０ｂ】
2005132113.tif 000021
【図１０ｃ】
2005132113.tif 000022
【図１０ｄ】
2005132113.tif 000023
【図１１】
2005132113.tif 000024
【図１２ａ】
2005132113.tif 000025
【図１２ｂ】
2005132113.tif 000026
【図１３ａ】
2005132113.tif 000027
【図１３ｂ】
2005132113.tif 000028
【図１４】
2005132113.tif 000029